(57)【特許請求の範囲】
【請求項１】
時間を測定する時計動作ムーブメントと、時計動作ムーブメントから独立した、ぜんまい（４４）を備えたバレル（２０）によって駆動される時打ち部（２２）とを含み、手動で駆動して、時打ち部（２２）をトリガすることのできる機械的制御手段をさらに含む時計であって、バレル（２０）が自由端部の端部が歯付きセクタまたはラック（３２）となっている巻き上げバー（３４）によって巻かれ、そのバーが一方で巻き上げ押しボタン（２４）に、他方で前記時打ち部（２２）のぜんまい（４４）に運動力学的に連結されることを特徴とする時計。
【請求項２】
バレル（２０）が、ぜんまい（４４）が巻き戻ると、時打ちハンマー（３８）を駆動する少なくとも１つのスナグ（３８）を担持することを特徴とする請求項１に記載の時計。
【請求項３】
ぜんまい（４４）がバレル（２０）内で巻かれ、前記ぜんまい（４４）が、外側回転部（４８）によってバレル（２０）に、内側回転部（５２）によってバレルシャフト（５０）に掛けられることを特徴とする請求項１または２に記載の時計。
【請求項４】
バレル（２０）が、ぜんまい（４４）に初期テンションを与えるように、取り付けられるとき自由に回転され、取り付けの後は、支持部材（５４）によって完全に停止されることを特徴とする請求項３に記載の時計。
【請求項５】
支持部材（５４）が爪であることを特徴とする請求項４に記載の時計。
【請求項６】
ぜんまい（４４）が、時打ち部（２２）用の駆動部材を形成し、バレルシャフト（５０）に固定して取り付けられているラックピニオン（５６）と噛み合っている巻き上げバー（３４）によって巻かれることを特徴とする請求項３から５のいずれかに記載の時計。
【請求項７】
バレルシャフト（５０）に機械的に結合された駆動歯車（６４）が、時打ち部（２２）がトリガされた時ゴング（４０）を打つ時打ちハンマー（３８）を駆動し、ぜんまい（４４）の力が、時打ち部（２２）を駆動するためにだけ使われることを特徴とする請求項３から６に記載の時計。
【請求項８】
駆動歯車（６４）が、ぜんまい（４４）が巻き戻る時、ティッピング機構（６６）と協働し、ハンマー（３８）をスプリング（６８）の戻り力に抗して後戻りさせ、その結果、前記ハンマー（３８）が、ゴング（４０）に向かって不意に前に移動させる少なくとも１つのスナグ（３６）を含むことを特徴とする請求項７に記載の時計。
【請求項９】
ティッピング機構（６６）が、ハンマー（３８）のレバー（７２）に回転可能に取り付けられた爪（７０）を含み、前記爪（７０）は、ぜんまい（４４）が巻かれている時、駆動歯車（６４）の１つまたは複数のスナグ（３６）上をスライドすることが可能であり、ぜんまい（４４）が巻き戻されている時、前記スナグ（３６）によって回転することが可能であり、次いで、前記爪（７０）が、ハンマー（３８）に固定されたピン（７４）に当接し、ハンマー（３８）に、そのティッピング運動を伝達することを特徴とする請求項８に記載の時計。
【請求項１０】
爪（７０）が、互いに角度をなして離間され、堅固に連結された２つの歯（７６、７８）を含み、ぜんまい（４４）が緩められ、すなわち巻き戻された時、第１の歯（７６）は駆動歯車（６４）のスナグ（３６）と協働し、第２の歯（７８）はピン（７４）上に置かれることを特徴とする請求項９に記載の時計。
【請求項１１】
爪（７０）が、支持スプリング（８０）によって、駆動歯車（６４）と弾性接触して支持される請求項８または９に記載の時計。
【請求項１２】
ハンマー（３８）が、戻りスプリング（８２）によって、その静止位置に戻ることを特徴とする請求項７から１０のいずれかに記載の時計。
【請求項１３】
戻りスプリング（８２）が、時計動作ムーブメントの少なくとも１つの点に固定して取り付けられ、ハンマー（３８）がゴング（４０）を打つ時、ハンマー（３８）に固定されたピン（９０）によって、その戻り力に抗して弾性変形され、それによって、前記スプリング（８２）が、前記ハンマー（３８）がゴング（４０）から離れている、静止位置に至る休止中に、ハンマー（３８）を戻すことを特徴とする請求項１２に記載の時計。
【請求項１４】
ぜんまい（４４）が巻き戻る時に駆動歯車（６４）の速度を減速する制御機構（９４）を含むことを特徴とする請求項３から１３のいずれかに記載の時計。
【請求項１５】
制御機構（９４）が、バレルシャフト（５０）の矩形部（９８）に固定された鋭い歯を備え、また、外側の歯を介して爪（１００）と協働する歯車（９６）を含み、爪（１００）の嘴部（１０２）は、ぜんまい（４４）が巻かれている時、歯車（９６）の歯によって押し戻され、ぜんまい（４４）が緩められ、すなわち巻き戻されている時、前記歯にカチッと入ることを特徴とする請求項１４に記載の時計。
【請求項１６】
ぜんまい（４４）が緩められ、すなわち巻き戻る時、爪が、それが回転駆動する歯車（１０４）に、回転可能に取り付けられることを特徴とする請求項１５に記載の時計。
【請求項１７】
歯車（１０４）が、遠心力でぜんまい（４４）の巻き戻り速度を調節するチェーン（１０６）の第１歯車であることを特徴とする請求項１５に記載の時計。
【請求項１８】
爪（１００）が、摩擦スプリング（１０８）によって、鋭い歯の歯車（９６）と弾性接触して支持されることを特徴とする請求項１５から１７のいずれかに記載の時計。
【請求項１９】
時打ち部（２２）と、時計動作ムーブメントとの間に挿入されたトリガ機構（６２）が、カウントダウン終了前に前記時打ち（２２）が動作することを防ぐことを特徴とする請求項１から１８のいずれかに記載の時計。
【請求項２０】
トリガ機構（６２）が、調節チェーン（１０６）の歯車（４２）の１つに配置された切欠き（１１２）に収容される支持部材（１１０）を含み、それによって、規定のトリガの瞬間まで、時打ち部の機能を封鎖することができるようになることを特徴とする請求項１９に記載の時計。
【請求項２１】
支持部材（１１０）が石であることを特徴とする請求項２０に記載の時計。
【請求項２２】
石（１１０）がボルト（１１４）に固定して取り付けられ、その支持力を調整可能なスプリング（１１６）によって、調整することができることを特徴とする請求項２１に記載の時計。
【請求項２３】
時打ち部がカウントダウンが終了に達したことを示すために、ベルを鳴らさなくてはならなくなるまでの残存時間を、時間カウンタまたはタイマがカウントダウンする間、石（１１０）は、スプリング（１１６）によって調節チェーン（１０６）の端部歯車セット（４２）に押し付けられ、また、時間カウンタが、カウントダウンの終了に達すると、時計動作ムーブメントに連結されたロック解除フィンガが、前記時間カウンタを介して、ボルト（１１４）の制御スプリング（１１８）を駆動し、それによってボルトを回転させ、石（１１０）が、それが収容される切欠き（１１２）から開放され、調節チェーン（１０６）の端部歯車セット（４２）を開放し、ぜんまい（４４）が巻き戻るようになり、時打ち部（３２）がベルを鳴らすことができることを特徴とする請求項２２に記載の時計。
【請求項２４】
巻き上げバー（３４）が、制御・巻き上げ押ボタン（２４）が駆動されていない静止位置と、押ボタン（２４）が押され、また、ぜんまい（４４）が、巻かれた状態にあることに対応する移動位置の端部との間で、直線的に移動することができ、前記ぜんまい（４４）が巻き戻るにつれて、戻りスプリング（１２０）の補助を得て、巻き上げバー（３４）が、その移動位置の端部から、徐々にその静止位置に戻る請求項２から２３のいずれかに記載の時計。
【請求項２５】
前記バー（３４）につくられた楕円形の穴（６０）に、それぞれ貫通する２つのスタッド（５８）によって、巻き上げバー（３４）の直線運動が案内されることを特徴とする請求項２４に記載の時計。
【発明の詳細な説明】
【技術分野】
【０００１】
本発明は、時打ち機構を含む時計に関する。本発明は、時計、クロノグラフ、およびその他の時計動作ムーブメントに関する。より詳細には、本発明は、携帯用の時計動作ムーブメント、即ち、ポケットに入れ、または腕に付けることのできる時計に関する。
【背景技術】
【０００２】
所定の調整可能な時間の終わりに音響信号を発する時計が既に知られている。これらの時計は、通常、特に時間を測定する時計動作ムーブメントと、そのムーブメントによってトリガが制御される時打ち部とを含む。
【０００３】
上記のタイプの時計は、例えば、車両の制限駐車時間を計るように設計され、使用者に、ブル音やゴングで、駐車時間がなくなったことを知らせる。
【０００４】
本発明による時計は、限定される訳ではないが、とりわけ、そのような用途を目的としている。
【０００５】
時計の第１のカテゴリは、計時デバイスに機械的エネルギーを供給するものと同じスプリング・バレルによって駆動される時打ち部が設けられた柱時計、目覚まし時計、および他の腕時計に関する。したがって、これらの機構は単一のスプリングを含むが、これは、第１動作期間に時計動作ムーブメントを作動させ、第２動作期間にアラーム信号が動作するのに必要なエネルギーを供給する。このような機構の本質的な特徴は、巻き上げや時間設定のときとアラームがトリガされるときの間にはバレルドラムが時計動作ムーブメントを駆動させる一方、アラームがトリガされたときにはハンマが開放され、これが、任意の適切なタイプのゴングを打つ。そのハンマは同じバレルドラムによって駆動されるが、時計動作ムーブメントのスプリングは、特別の機構によって、反対方向における止め動作によって動作する。
【０００６】
容易に理解できる通り、以上に述べたタイプの機構は、極端に複雑であり、したがって、製造するのにコスト高である。そうした機構が必要とする多数の特別の部品は、市販されておらず、寸法通りに作らなくてはならない。これらの機構は、また、非常に壊れ易い。最後に、同じぜんまいが、時計動作ムーブメントの作動と、時打ち機構の作動との両方を担うので、このスプリングの力は、時間測定のためだけに使用されず、したがって、腕時計の力の蓄えが制限され、使用者が腕時計を定期的に巻くことが必要となり、また、アラーム・デバイスを使用すればするほど、頻繁に巻くことが必要になる。
【０００７】
これらの欠点を克服するために、第２のタイプの腕時計が提起されているが、これは、エネルギーを時計に供給するバレルのスプリングから独立した、補助のバレルのスプリングによって駆動される時打ち部が取り付けられている。驚くべきことに、このような機械的構造によって、時計動作ムーブメントの動作機構の全体の運動を実質的に簡素化することができ、第１のムーブメントとは異なり、アラーム機構の適切な作動のためだけに専ら確保された第２のムーブメントを通常の時計動作ムーブメントの動作機構内に加えても、製造コストが著しく増大することはないということが認められている。
【０００８】
しかし、未だ解決されていない問題の中で懸念されるのは、タイマ機能の駆動と、その力を時打ち部を駆動するのに使用する補助バレルのぜんまいを巻くことである。実際、本出願人の知る限りでは、現在、利用可能な唯一の技術的解決法は、２つの別々の押ボタンを備え、これらの押ボタンのうちの一方は、警報信号を発するべき時間長さが選択された後にカウントダウンを駆動させるのに使用され、一方、他方の押ボタンは、時打ち部のぜんまいを巻くのに使用される。このように、押ボタンを増やすことは、時計の原価を増加させる傾向にあり、時計の美観を損なう。
【０００９】
変形形態によると、竜頭は、本来は、時間を測定する単一のムーブメントを巻くためのものであるが、時打ち部を巻くのに使用することもできる。しかし、そのような構成は、ここでも腕時計の構造を大幅に複雑化し、腕時計が含む市販されていない特別の部品を使用することによって、必然的に製造コストの顕著な増大へとつながる。
【００１０】
時打ち部を駆動するのに使用するぜんまいを巻くための知られている他の解決法は、スライド・バー、即ち、時計ケースの外部から操作可能な摺動体内または摺動体上に摩擦で動く機構を使用することにある。この場合ぜんまいを巻くことは、スライド・バーを駆動した結果として起こるが、その動きがぜんまいが掛けられるバレルを支持するシャフトの歯車と噛み合うラックに伝達される。スライド・バーは、ボルトによって作用を受けるが、このボルトは、通常、指によって操作され、また、時打ちぜんまいを巻くのに使用される。このようなデバイスは、実際上、現在ではもはや使用されない。というのも、とりわけ複雑で、したがってコスト高の手段が講じられない限りは、そうしたデバイスは、それが取り付けられる腕時計の防水性を取り返し不能なまでに損ねるからである。
【発明の開示】
【発明が解決しようとする課題】
【００１１】
したがって、本発明の目的は、他の欠点に加えて、上記の欠点を克服する時打ち部を含む時計を提供することにあるが、その利点は、基本的ムーブメントに簡潔な改良を加えて、大量生産が可能で、その結果、原価がより有利となるムーブメントの使用によって、時打ち部の動作を安定させることである。
【課題を解決するための手段】
【００１２】
本発明は、したがって、時間を測定する時計動作ムーブメントと、時計動作ムーブメントから独立したぜんまいバレルによって駆動される時打ち部とを含み、手動で駆動して、時打ち部をトリガすることができる機械制御手段をも含む時計であって、端部がラックになっており、一端が巻き上げ押ボタンに、他端が時打ち部のぜんまいに運動学的に連結されている巻き上げバーによってバレルが巻かれることを特徴とする時計に関する。
【００１３】
これらの特色によって、本発明は、従来の時計動作ムーブメントに基づいた、所定時間の長さの終わりに警報信号を発することのできる音響アラーム機構が備えられた時計を提供することができる。本発明の範囲で使用する押ボタンも、従来の押ボタンであって、大量生産され、したがって安価であり、その取り付けも、時計動作ムーブメントに何ら改良を必要とせず、また、例えば、時計動作ムーブメントが配置されるケースの防水性を変えることもない。
【００１４】
さらに、時打ち部が、時間の測定を遂行するムーブメントから独立した補助バレルによって駆動されるので、本発明による時計の構造は、大きく簡素化され、したがって、安価である。他の利点が見られるのは、警報機構またはアラーム機構と、時計動作ムーブメントとが独立しているので、アラーム機構の調整および作動が時計動作ムーブメントの他の機能を阻害し、またはそれに悪影響を与えることがあり得ないという事実である。したがって、ぜんまいの力は全て時打ち部を始動するためにだけ使われ、時計動作ムーブメントの動作を担うスプリングはその役目に完全に専心することになる。その結果、腕時計の力の蓄えがアラーム機構の動作によって減少することがない。
【００１５】
本発明のさらに他の利点によれば、時打ち部を始動するぜんまいは、巻き上げバーによって巻かれるが、このバーは、その自由端のところが歯付きセクタまたはラックになっており、これが、一端が巻き上げ押ボタンに、他端が時打ち部のぜんまいに運動学的に連結される。
【００１６】
この特色によって、一般に市販されている従来の押ボタンを使用し、防水性の形で、例えば時計ケースに取り付けることができ、また、通常ほぼ１ミリメートル程度の動きで、充分にアラーム機構のぜんまいを巻くことができる。さらに、押ボタンと、時打ちぜんまいとの間の運動学的な連鎖によって、押ボタンのような時打ち部を、例えば、時計動作ムーブメントの寸法による必要に応じて、または美観への配慮によって、時計ケース内の任意の位置に配置することができる。したがって、最新技術で時にそうであるように、ブレスレットまたはリストバンドが、腕時計に付いている区域に、押ボタンを設けるという、押ボタンを始動するのがとりわけ困難な構成はもはや必要ない。
【００１７】
本発明の他の特色および利点が、本発明による時計の例示的実施形態についての、以下の詳細な記述を読めば、より明確になろう。この例は、純粋に例証するための、制限しない例として、添付の図面と併せて掲げる。
【００１８】
本発明は、一般的な発明のアイディアから進んでおり、これは、ぜんまいを巻き上げる単一の押ボタンを使用し、そのぜんまいの力は、専ら、アラーム機構または警報機構を駆動するためだけに使用される。この押ボタンは、一般に市販されるタイプであって、例えばアラーム機構が取り付けられた時計ケースに、防水性の形で、極めて簡単に取り付けることができる。この発明は、このように、腕時計の美観を損なわない、取り付けが簡単な、防水性の巻き上げ押ボタンへの市場の需要に応えるものである。
【発明を実施するための最良の形態】
【００１９】
本発明を腕時計タイプの時計を参照して記述する。しかし、本発明が、かかる利用例に限定されるものではなく、時間期間がカウントダウンされ、音響信号の発信によってカウントダウンの終了を示すことを必要とする他の任意の使用例の範囲内で、有利にこれを使用することができることは明白である。
【００２０】
本発明による時打ち部を含む腕時計タイプの時計を図１の平面図に示し、これに、全体参照数字１を付す。この時計１は、計時針、つまり、時針２、分針４、および小さい秒針６を含む。大きな開口の日付デバイス８がこの計時機構を完成させる。ここで、例として取り上げる時計１は、秒針１０および分カウンタ１２を備えたクロノグラフ機能をさらに含む。秒針１０およびカウンタ１２は、第１押ボタン１４によって、始動・停止され、第２押ボタン１６が表示器１０および１２をゼロにリセットする。竜頭１８は、その軸方向位置に応じて、時計を巻き、カレンダを設定し、計時機構の針２、４、および６を、正しい時間に設定することができる。
【００２１】
図１に示す時計１では、分カウンタ１２は、タイマすなわちカウントダウン用カウンタとしても使用され、竜頭１８は、カウントダウンする時間長さとして設定された時間を訂正するのに使用される。第３押ボタン２４を押すことによってカウントダウン用カウンタが始動させられ、同時にバレルを形成し、カウントダウンの終了を腕時計１を着用する人に聞こえるように示す時打ち部２２を駆動する部分２０が巻かれる。図１に示す通り、カウンタ・タイマ１２は文字盤２５を含む。これは、それぞれ１０分ずつの３つの共心目盛りを備え、各目盛りそれぞれを異なった長さの針２６、２８、３０が移動するが、図１では１本の針しか見えない。
【００２２】
図２およびそれに続く図が示す通り、時計は、上記バレル２０によって駆動される時打ち部２２を含む。バレル２０は、バー３４に形成された歯付きセクタすなわちラック３２によって駆動されるが、バー３４の端部は制御・巻き上げ押ボタン２４になる。以下に詳しく述べるが、バレル２０アセンブリは、少なくとも１つのスナグ３６を担持し（図に示す例では、これらのスナグは、３つであることが好ましい）、これが、時打ちハンマー３８を駆動し、ハンマー３８が任意のタイプのゴング４０を打つ。このアセンブリは、時打ち部２２を駆動するが、これは、ここでは、３つの歯車セットを含み、これに、端部歯車セット４２が１つ含まれる。
【００２３】
本発明によれば、また、以上に既述した通り、時打ち部２２は、押しボタン２４を押すことによって、時計動作ムーブメント（図示せず）とは無関係に巻くことができ、それによってぜんまい４４が巻かれ、その力全てが時打ち部２２を駆動するのに使われる。
【００２４】
この目的のために、ぜんまい４４は自由端部が歯付きセクタ３２、好ましくはラックとなっている巻き上げバー３２によって巻かれる。巻き上げバー３４は、一方で巻き上げ押ボタン２４に、他方で時打ち部２２のぜんまい４４に運動学的に連結される。
【００２５】
本発明の、とりわけ有利な特徴によって、時打ち部２２は、例えば、時計動作ムーブメントの寸法による必要を考慮して、または美観の理由によって、時計１のケース４６内の任意の場所に配設することができる。
【００２６】
巻き上げ押ボタン２４は、腕時計製造業界で一般に使用されるタイプのものである。したがって、それは大量生産され、より有利な価格で利用することができることも理解されたい。さらに、腕時計１のケース４６への取り付けが著しく簡単で、前記腕時計１の防水性をいかなる形でも変えることはない。
【００２７】
最後に、時打ち部２２が、時間を測定するムーブメントから独立したぜんまい４４によって駆動されるので、時打ち部は極めて単純、頑丈であり、したがって信頼のおける機構となる。
【００２８】
ぜんまい４４は、バレル２０の内側で巻かれ、外側回転部４８を介してバレル２０に掛けられ、内側回転部５２を介してバレルシャフト５０に掛けられる。バレル２０は、ムーブメントのプレートに取り付けられて、適切な初期テンションをぜんまい４４に与えるように、シャフト５０の周りを自由に回転させられ、取り付けの後、例えば爪などの支持部材５４によって、プレート上で完全に停止させられる。このように、ぜんまいは、時打ち部２２の組み立て中に、通常、ほぼ１ミリメートル程度の押ボタン２４の動きでぜんまい４４が十分に巻かれるように予備的に巻かれる。当然ながら、代替的実施形態によると、特殊ぜんまいを使用することもできるが、この場合、特殊ぜんまいは、バレル２０内に緩く取り付けられ、押ボタン２４への圧力の作用によって、ぴったりと張った状態になるように、またそれにより、時打ち部２２に適した力をもたらすことができるように寸法決めされる。しかし、この場合、腕時計製造業界で直ぐに入手することのできないぜんまいを使用しなければならない。
【００２９】
ぜんまい４４を、巻き上げバー２４によって巻くことができるように、ラック・ピニオン５６が設けられている。このピニオン５６は、時打ち部２２用の駆動部材を形成する。ピニオン５６は、バレルのシャフト５０に固定して取り付けられて、巻き上げバー３４に作られたラック３２と噛み合う。巻き上げバー３４は、押ボタン２４の動きと平行な方向に延び、その長手方向に位置合わせされるのが好ましい。押ボタン２４が駆動された時、バー３４を平行移動させるために、バー３４は、平行移動案内手段に関連付けられる。図示する例では、これらの案内手段は、２つのスタッド５８を含むが、これらはバー３４内に形成された楕円形の穴６０のそれぞれを貫通する。ラック３２によって回転駆動させられてピニオン５６が回転し、その回転運動をバレルシャフト５０に伝達する。ぜんまい４４は、その両端部４８および５２で、バレル２０およびバレルシャフト５０にそれぞれ取り付けられているので、ぜんまいは巻き込まれ、エネルギーを蓄えるが、後でぜんまいが巻き戻された際、そのエネルギーを時打ち部２２に戻す。
【００３０】
本発明によれば、以下により詳しく述べるように、カウントダウンが終了する前に時打ち部２２が動作するのを防ぐために、時打ち部２２と時計動作ムーブメントとの間にトリガ機構６２が配設されている。言い換えると、ぜんまい４４は、時打ち部２２の端部歯車セット４２が、上記トリガ機構６２によって開放された後でしか、巻き戻ることはできない。
【００３１】
駆動歯車６４が機械的にバレルシャフト５０に結合されている。ぜんまい４４が巻き戻ると、この歯車６４が時打ちハンマー３８を駆動させ、ハンマーがゴング４０を打ち、これによって、１つまたは複数の連続した音響信号が発信される。より正確には、駆動歯車６４は、複数のスナグ３６（図では３つ）を有し、これが、ぜんまい４４が巻き戻ると、ティッピング機構６６と協働し、ハンマー３８をスプリング６８の戻り力に抗して戻し、その結果、ハンマー３８の不意な動きが、ゴング４０に向けて起こる。
【００３２】
以上のティッピング機構６６は、ハンマー３８のレバー７２に回転するように取り付けられた爪７０を含む。この爪７０は、駆動歯車６４が、ぜんまい４４の巻き上げ中に時計回りに回転すると、駆動歯車６４の１つまたは複数のスナグ３６の上をスライドすることができるという特性を有する。言い換えれば、ぜんまい６４が巻かれている時、爪７０はハンマー３８に働きかけない。つまり、爪は、ハンマーにティッピングしない。反対に、ぜんまい４４が緩められる時は、駆動歯車６４は、反時計回りに回転し、それによって、爪７０がスプリングのスナグ３６によって回転する。すると爪７０が、時打ちハンマー３８に固定されたピン７４に当接して、そのティッピング運動を時打ちハンマー３８に伝える。この結果を達成するために、爪７０は２つの歯７６および７８を含むが、それらは、互いに、角度をなして離間し、堅固に連結されている。ぜんまい４４が緩められると、第１歯７６は、駆動歯車６４のスナグ３６と協働し、第２歯７８がピン７４上に載り、ティッピング運動を時打ちハンマー３８に伝える。
【００３３】
図に示す例では、スナグ３６は３つあるが、それらは、駆動歯車６４の外側周囲に規則的に間隔をおいて配置される。これは、ハンマー３８が、ゴング４０を３回打ち、したがって、規則的な連続した時間間隔で３回の打撃が連続してなされることを意味する。当然のことながら、変形形態によると、スナグ３６を不規則な間隔で置くこともできる。例えば、スナグ３６のうちの２つを互いに接近させ、３つめを最初の２つよりも遠く離すこともできる。このような場合、腕時計１の着用者は、ほぼ同時の２回のベルの鳴る音と、それからちょっと後で３回目のベルの鳴る音を聞くことになる。
【００３４】
有利に、爪７０は、腕時計１の時計動作ムーブメントに固定して取り付けられた支持スプリング８０によって駆動歯車６４と弾性接触して支持される。
【００３５】
以上で分かるように、ゴング４０を打つことができるためには、スナグ３６が取り付けられた駆動歯車６４によって、スプリング６８の弾性の戻り力に抗して時打ちハンマー３８をティッピングさせなければならない。スナグ３６のいずれかが、爪７０と噛み合い、爪を通過すると、ハンマー３８は自由にティッピングすることができるようになる。するとスプリング６８は巻き戻り、不意に、記ハンマー３８をゴング４０に突出させる。ハンマー３８をその静止位置に戻す機構が設けられなければならない。
【００３６】
本発明によると、ハンマー３８はスプリング８２によって静止位置に戻される。図が示す通り、スプリング８２は、時計動作ムーブメントの少なくとも１点に固定的に取り付けられている。より正確には、スプリング８２は、第１ネジ８４によって時計動作ムーブメントに固定され、切欠き８６を有し、その中に、ムーブメントに同様に固定された第２ネジ８８が突き出ている。切欠き８６は、あそびを設け、かつ、スプリング８２の位置合わせの不足を必要に応じて補正することを目的としている。図で見られる通り、ピン９０が時打ちハンマー３８のレバー７２に固定して取り付けられる。復帰するスプリング６８の作用によってハンマー３８がゴング４０に向かって前に突き出る時、ハンマー３８と同時に回転するピン９０によって、スプリング８２のアーム９２がその戻り力に抗して弾性変形させられ、これによって、連続した２つのスナグ３６の間の経路の休止中に、爪７０の頂上部でハンマー３８がゴング４０から離れている静止位置にハンマー３８を戻す。
【００３７】
本発明による時計は、ぜんまい４４が巻き戻る時、駆動歯車６４の回転速度を減速する制御機構９４も含む。この制御機構９４はバレルシャフト５０の矩形部９８に固定され、鋭い歯が付いた歯車９６を含み、その外側の歯を介して爪１００と協働する。ぜんまい４４が巻き戻された時、すなわち、歯車９６が反時計周りに回転する時、歯車９６の歯は、爪１００の嘴部１０２を押し戻す。反対に、ぜんまい４４が緩められている時、爪１００の嘴部１０２は、鋭い歯の付いた歯車９６の歯の中にカチッと入り、嘴部が回転可能に取り付けられた歯車１０４を回転駆動させる。したがって、ぜんまい４４が巻き戻る時、歯車９６の歯と噛み合った爪１００が回転歯車１０４を回転駆動させる。この歯車１０４はチェーン１０６の第１歯車であり、遠心力によって、ぜんまい４４の緩み速度を調節する。爪１００は、摩擦スプリング１０８によって鋭い歯９６と弾性接触して支持されるのが好ましい。
【００３８】
上記説明で既に述べたように、トリガ機構６２は、時打ち部２２がカウントダウンの終了前に動作するのを防ぐために、時打ち部２２と時計動作ムーブメントとの間に配設される。言い換えれば、ぜんまい４４は、上記のトリガ機構６２によって時打ち部２２の端部歯車セットが開放された後でしか、巻き戻ることはできない。
【００３９】
本発明によると、トリガ機構６２は、石または宝石である支持部材１１０を含むのが望ましい。これは、調節チェーン１０６の端部歯車セット４２に配置される切欠き１１２のうちの１つに収容され、端部歯車セット４２を停止させ、それによって、時打ち部２２を規定のトリガの瞬間までロックすることが可能となる。好ましくは、石１１０は、支持力を調整可能なスプリング１１６によって、調整することができるボルト内に固定して取り付けられる。
【００４０】
トリガ機構は以下のように動作する。時打ち部が駆動される前に、カウントダウン・カウンタによって、カウントダウンされる時間の長さが、図１に見られる竜頭１８を用いて腕時計１の着用者によって設定される。次いで、ぜんまい４４が、押ボタン２４を押すことによって巻かれる。時打ち部が、カウントダウンが終了に達したことを示すために、ベルを鳴らさなくてはならなくなるまでの残存時間を時間カウンタまたはタイマが、カウントダウンする期間全てにわたって、あるいは、時計動作ムーブメントが、現時間の測定や、タイミング機能などの他の機能を実行する時、石１１０がスプリング１１６（図２および３を参照）によって、調節チェーン１０６の端部歯車セット４２に押し付けられる。反対に、時間カウンタが、カウントダウンの終了に達すると、時計動作ムーブメントに連結されたロック解除フィンガ（図示せず）が、時間カウンタを介して、ボルト１１４の制御スプリング１１８を駆動して、それによって、ボルトを、矢印Ｆ（図４を参照）の方向に回転させ、石１１０がそれが収容される切欠き１１２から開放され、調節チェーン１０６の端部歯車セット４２を開放する。このように、ぜんまい４４が巻き戻るようにして、時打ち部３２がベルを鳴らすことができる。
【００４１】
巻き上げバー３４は、制御・巻き上げ押ボタン２４が駆動されていない静止位置と、押ボタン２４が押されている移動位置の端部との間で自由に直線的に移動するが、これは、ぜんまい４４が巻かれた状態にあることを意味することを理解されたい。次いで、巻き上げバー３４は、戻りスプリング１２０の補助を得て、その移動位置の端部から、徐々にその静止位置に戻る。
【００４２】
言うまでもなく、本発明は、以上に述べた実施形態に限定されず、本発明の範囲から逸脱することなく、簡単な修正形態および変形形態を構想することが可能である。
【図面の簡単な説明】
【００４３】
【図１】図１は、本発明による時打ち部を含む時計の平面図である。
【図２】図２は、巻き上げ押ボタンと時打ち歯車列の間に配置された時打ち部の平面図である。
【図３】図３は、図２に示す、未だ駆動されていない時打ち部の平面拡大図である。
【図４】本発明による時打ち部が駆動された図３と類似の図である。
【図５】図５は、バレルを形成する部分の立面図であって、そのバレルの内部で、ぜんまいが巻かれ、ぜんまいの外側回転部がバレルに掛けられ、その内側回転部がバレルシャフトに固定される。
【図６】図６は、調整鎖の第１歯車を形成する鋭い歯を有する歯車の平面図である。
【図７】図７はアラーム機構全体の立面図である。
【図１】
0004612277.tif 000002
【図２】
0004612277.tif 000003
【図３】
0004612277.tif 000004
【図４】
0004612277.tif 000005
【図５】
0004612277.tif 000006
【図６】
0004612277.tif 000007
【図７】
0004612277.tif 000008